(57)【特許請求の範囲】
【請求項１】
用紙の両面に文字部が小ドット部となる地紋画像を印刷するための設定がなされたか判定する判定手段と、
前記判定手段で前記設定がなされたと判定した場合に、警告画面を表示するように制御する制御手段とを備えることを特徴とする装置。
【請求項２】
用紙の片面に文字部が小ドット部となる地紋画像が印刷されるか判定する判定手段と、
前記判定手段で用紙の片面に文字部が小ドット部となる地紋画像が印刷されると判定した場合に、前記用紙のもう一方の面に、文字部が小ドット部となる地紋画像を印刷することを禁止し、
前記判定手段で用紙の片面に文字部が小ドット部となる地紋画像が印刷されないと判定した場合に、前記用紙のもう一方の面に、文字部が小ドット部となる地紋画像を印刷することを許可する制御手段とを備えることを特徴とする装置。
【請求項３】
用紙の両面に地紋画像を印刷するための設定がなされたか判定する判定手段と、
前記判定手段で前記設定がなされたと判定した場合に、自動的に前記両面に文字部が大ドット部となる地紋画像を印刷するための設定を行う設定手段とを備えることを特徴とする装置。
【請求項４】
用紙の両面に地紋画像を印刷するための設定がなされたか判定する判定手段と、
前記判定手段で前記設定がされていると判定した場合に、前記用紙の両面の少なくとも一方の面に文字部を小ドット部とするための設定がなされているか判断する判断手段と、
前記判断手段で少なくとも一方の面に文字部を小ドット部とするための設定がなされていると判断した場合に、当該設定を解除する解除手段とを備えることを特徴とする装置。
【請求項５】
両面に画像を印刷するにあたって、用紙の片面に文字部が小ドット部となる地紋画像が印刷されるか判定する判定手段と、
前記判定手段で用紙の片面に文字部が小ドット部となる地紋画像が印刷されると判定した場合に、前記用紙のもう一方の面に、文字部が小ドット部となる地紋画像を印刷することを禁止する制御手段とを備えることを特徴とする装置。
【請求項６】
用紙の両面に文字部が小ドット部となる地紋画像を印刷するための設定がなされたか判定する判定ステップと、
前記判定ステップで前記設定がなされたと判定した場合に、警告画面を表示するように制御する制御ステップとを備えることを特徴とする方法。
【請求項７】
用紙の片面に文字部が小ドット部となる地紋画像が印刷されるか判定する判定ステップと、
前記判定ステップで用紙の片面に文字部が小ドット部となる地紋画像が印刷されると判定した場合に、前記用紙のもう一方の面に、文字部が小ドット部となる地紋画像を印刷することを禁止し、
前記判定ステップで用紙の片面に文字部が小ドット部となる地紋画像が印刷されないと判定した場合に、前記用紙のもう一方の面に、文字部が小ドット部となる地紋画像を印刷することを許可する制御ステップとを備えることを特徴とする方法。
【請求項８】
用紙の両面に地紋画像を印刷するための設定がなされたか判定する判定ステップと、
前記判定ステップで前記設定がなされたと判定した場合に、自動的に前記両面に文字部が大ドット部となる地紋画像を印刷するための設定を行う設定ステップとを備えることを特徴とする方法。
【請求項９】
用紙の両面に地紋画像を印刷するための設定がなされたか判定する判定ステップと、
前記判定ステップで前記設定がされていると判定した場合に、前記用紙の両面の少なくとも一方の面に文字部を小ドット部とするための設定がなされているか判断する判断ステップと、
前記判断ステップで少なくとも一方の面に文字部を小ドット部とするための設定がなされていると判断した場合に、当該設定を解除する解除ステップとを備えることを特徴とする方法。
【請求項１０】
両面に画像を印刷するにあたって、用紙の片面に文字部が小ドット部となる地紋画像が印刷されるか判定する判定ステップと、
前記判定ステップで用紙の片面に文字部が小ドット部となる地紋画像が印刷されると判定した場合に、前記用紙のもう一方の面に、文字部が小ドット部となる地紋画像を印刷することを禁止する制御ステップとを備えることを特徴とする方法。
【請求項１１】
請求項６乃至１０のいずれかに記載の方法をコンピュータに実行させるためのプログラム。
【発明の詳細な説明】
【技術分野】
【０００１】
本発明は、画像処理装置に関するものである。より具体的には、地紋画像を含んだ画像を扱うことができる装置、方法、記憶媒体およびプログラムに関する。
【背景技術】
【０００２】
地紋画像が知られている(特許文献１)。
【０００３】
地紋画像は、地紋画像の印刷された原本を複写した場合、複写前には認識できなかった所定の文字などが顕像化し、その複写物を使用等することを抑止する効果を実現するものである。
【０００４】
この効果を実現すべく、生成される地紋画像は、基本的に、複写物にも原本と同様の画像が残る領域（大ドット部）と複写物において原本には存在する画像が消えるか、あるいは上記の残る領域の画像に較べて薄くなる領域の２つの領域（小ドット部）を有する。この２つの領域を有する地紋画像は、これを印刷出力した状態では上記２つの領域における濃度がほぼ同じ濃度とされる。つまり、印刷出力した地紋画像は、マクロ的には、複写物上において顕像化する文字などが隠されていることが人間の視覚上認識し難いようにされる。
【０００５】
この地紋画像の印刷出力物においては隠されているが当該印刷出力物を複写した複写物においては人間の視覚上認識可能に現れる画像領域を「大ドット部」又は「顕像部」と呼ぶ。
【０００６】
また、複写物によって消えるかあるいは複写物で顕像化した潜像の濃度に比べて低濃度の画像領域を「小ドット部」又は「消失部」と便宜的に呼ぶ。
【０００７】
図１は、大ドット部と小ドット部の２つの画像領域におけるドットの状態を示す図である。図１に示されているように、地紋画像は、所定の領域内にドットが分散して配置される小ドット部１０１と、ドットが集中して配置される大ドット部１０２とを有する。大ドット部１０２と小ドット部１０１の２つの領域におけるドットを、それぞれ異なる網点処理や異なるディザ処理により生成することができる。
【０００８】
例えば、網点処理を用いて地紋画像を生成する場合、大ドット部１０２において、低い線数での網点処理を行っても良い。また、小ドット部１０１において、高い線数の網点処理を行っても良い。さらに、ディザ処理を用いて地紋画像を生成する場合、大ドット部１０２において、ドット集中型ディザマトリクスを用いたディザ処理を行っても良い。また、小ドット部１０１において、ドット分散型ディザマトリクスを用いたディザ処理を行っても良い。
以後、複写物上で小ドット部が消え、大ドット部のみが現れることを、顕像化と称する。
【０００９】
図２(ａ)、(ｂ)は、顕像化を示す図である。図２（ａ）の複写物上で、図２（ｂ）が顕像化する。図２（ａ）、（ｂ）は、ドットを集中させた場合には複写物においても顕像化し、ドットを分散させた場合には複写物において再現されないことを概念的に示すものである。
【００１０】
なお、地紋印刷は上記構成に限定されるものではなく、複写物において、文字列などが認識可能なレベルで再現できればよい。つまり、図１４に示されるように、文字列などが小ドット部として指定され、複写時に白抜き文字のような状態で示されても地紋印刷としてはその目的を達成するものである。
【００１１】
また、図１７に示すように、以降、地紋の文字の部分については、地紋の「文字部」（１７０１）、地紋の文字以外の部分については、地紋の「非文字部」（１７０２）と呼ぶものとする。
【００１２】
【特許文献１】特開２００１−１９７２９７号公報
【発明の開示】
【発明が解決しようとする課題】
【００１３】
ここで、重要なことは、複写後のある面において濃い部分は、もう一方の面（逆の面）に裏写りするということである。
【００１４】
例えば、図１８では、原稿の表面１８０１では、文字部１８０５が小ドット部であり、原稿の裏面１８０２では、文字部１８０６、１８０７が小ドット部である。このような場合、原稿の表面１８０１における文字部１８０５は複写物上では１８０８のようになり、消失している。しかし、原稿の裏面１８０２における非文字部が複写物上では濃く残ることにより、この濃く残った部分が裏写りしている。その結果、真っ白になるはずの小ドット部１８０８が真っ白になっていない。その結果、複写物上の表面における文字部１８０８はその周囲と区別がつきにくくなっている。裏面においても同じである。なお、図１６は図１８と同じことを示す図のため、説明を省略する。
【００１５】
一方、図１９では、原稿の表面１９０１では、文字部１９０５が大ドット部であり、原稿の裏面１９０２では、文字部１９０６、１９０７が大ドット部である。このような場合、原稿の表面１８０１における文字部１９０５は複写物上では１９０８のようになり、顕像化している。また、原稿の裏面１９０２における文字部１９０６、１９０７が複写物上では濃く残ることにより、この濃く残った部分が裏写りしている。しかし、複写物上の表面においては、この裏写りの影響がありながらも、文字部１９０８は、確りとその周囲と区別が付いている。裏面においても同じである。なお、図１５は図１９と同じことを示す図のため、説明を省略する。
【００１６】
本発明の目的は、複写物上での裏写りにより、地紋画像の文字部が周囲と区別できなくなってしまうことを防ぐことができる装置を提供する所にある。
【課題を解決するための手段】
【００１７】
上記課題を解決するために、本発明に係る装置は、用紙の両面に文字部が小ドット部となる地紋画像を印刷するための設定がなされたか判定する判定手段と、判定手段で設定がなされたと判定した場合に、警告画面を表示するように制御する制御手段とを備えることを特徴とする。
【発明の効果】
【００１８】
本発明によれば、地紋が、複写後に顕像化される場合に、裏写りの影響を少なくすることができる。
【発明を実施するための最良の形態】
【００１９】
以下、本発明にかかる一実施形態について、図面を参照して詳細に説明する。
＜実施形態１＞
＜画像形成装置の外観について＞
図３は、画像形成装置を示す外観図である。スキャナ部３１３は、原稿上の画像を露光走査して、反射光を得る。そして、スキャナ部３１３は、得られた反射光をＣＣＤ（Ｃｈａｒｇｅ  Ｃｏｕｐｌｅｄ  Ｄｅｖｉｃｅｓ）あるいはＣＩＳ（Ｃｏｎｔａｃｔ  Ｉｍａｇｅ  Ｓｅｎｓｏｒ）の感光素子に入力することで画像の情報を電気信号に変換する。スキャナ部３１３は、さらに電気信号をＲ，Ｇ，Ｂ各色からなる輝度信号に変換し、当該輝度信号を画像データとして出力する。
【００２０】
なお、原稿は、原稿フィーダ３０１のトレイ３０２にセットされる。ユーザが、操作部３１２から読み取り開始を指示すると、スキャナ部３１３に原稿読み取り指示が与えられる。スキャナ部３１３は、この指示を受けると原稿フィーダ３０１のトレイ３０２から原稿を１枚ずつフィードして、原稿の読み取り動作を行う。なお、原稿の読み取り方法は原稿フィーダ３０１による自動送り方式ではなく、原稿を不図示のガラス面上に載置し露光部を移動させることで原稿の走査を行う方法であってもよい。
【００２１】
プリンタ部３１４は、先の画像データを用紙上に形成する画像形成デバイスである。なお、本実施形態において画像形成方式は感光体ドラムや感光体ベルトを用いた電子写真方式となっているが、本発明はこれに限られることはない。
【００２２】
例えば、微少ノズルアレイからインクを吐出して用紙上に印字するインクジェット方式を本実施形態に適用しても良い。また、プリンタ部３１４には、異なる用紙サイズ又は異なる用紙向きを選択可能とする複数の用紙カセットが設けられている。具体的に、図３の画像形成装置は、用紙カセット１（３０３）、用紙カセット２（３０４）、および用紙カセット３（３０５）を有する。排紙トレイ３０６には印字後の用紙が排出される。
【００２３】
＜地紋画像の合成処理の説明＞
次に、地紋画像の合成処理について、図１０を用いて説明する。以下の説明において、ＲＡＭは、図３の画像形成装置に搭載されたＲＡＭであり、ＨＤＤは、図３の画像形成装置に搭載されたＨＤＤである。また、図１０に示されている処理は、図３の画像形成装置に搭載されているＣＰＵにより実行される。
【００２４】
図３の画像形成装置は、図７を用いて後述する地紋印字の種類設定により指定された文字や記号の画像を画像形成装置に搭載したＲＡＭ上にビットマップとして展開することができる。
【００２５】
図１０の、画像１００１は、例として記号「★」をビットマップとして展開したものである。画像１００１は、例えば、図７に示されている画面の、地紋印字の種類設定で、「コピー禁止」と設定された場合に選択される画像である。
【００２６】
また、画像１００２、１００３、１００４に示されているような地紋画像の大ドット部と小ドット部、そして背景模様に使用するパターンが、ＨＤＤに保持されており、ＲＡＭ上に任意の大きさに展開される。
【００２７】
さらに、画像１００２、１００３の地紋画像の大ドット部と小ドット部のパターンは、後述する大ドット部と小ドット部の濃度調整によってユーザにより決定した濃度に対応したものが使用され、複数の濃度に対応したパターンの画像がＨＤＤに保持される。
【００２８】
ブロック１００８は、地紋の大ドット部の画像生成の処理を示している。
【００２９】
ブロック１００８に含まれている画像１００５は、ユーザが大ドット部の濃度調整時に設定した濃度に対応する、ＨＤＤに保存されている大ドットパターンを所定の数だけ繰り返してＲＡＭに展開されたものである。
【００３０】
ブロック１００８に含まれている画像１００６は、指定されたフォント（文字）をＲＡＭに展開したものである。画像１００６には、画像１００５の画像サイズと合わせるために、白画像が周囲に付加されている。ＲＡＭに、画像１００５と画像１００６が生成された後、双方の画像の合成処理が行われ、大ドット部の画像１００７がＲＡＭに生成される。このとき、画像１００６のフォント（文字部）の部分にだけ画像１００５のパターンが残るように合成処理が行われる。
【００３１】
ブロック１０１２は、地紋の小ドット部の画像の生成の処理を示している。
【００３２】
ブロック１０１２に含まれている画像１００９は、ユーザが小ドット部の濃度調整時に設定した濃度に対応する、ＨＤＤに保存されている背景パターンを所定の数だけ繰り返してメモリ上に展開されたものである。
【００３３】
ブロック１０１２に含まれている画像１０１０は、指定されたフォント（文字部）がＲＡＭに展開されたものである。画像１０１０には、画像１００９の画像サイズと合わせるために白画像が周囲に付加されている。ＲＡＭに画像１００９と画像１０１０が生成された後、双方の画像の合成処理が行われ、小ドット部の画像１０１１がＲＡＭに生成される。このとき、画像１０１０のフォント（文字部）以外の部分だけ画像１００９のパターンが残るように合成処理が行われる。
【００３４】
画像１０１４は、背景模様画像であり、背景模様パターンの画像１００４がＲＡＭに展開されたものである。画像１０１４は、図８に示されている画面の、地紋印字の詳細設定において、背景模様８０１が「なし」と設定された場合には生成されない。
【００３５】
ブロック１００８とブロック１０１２による画像生成処理終了後、大ドット部の画像１００７と小ドット部の画像１０１１の合成処理が行われ、画像１０１３がＲＡＭに生成される。
【００３６】
画像１０１４の背景模様画像生成の指示があった場合は画像１０１３にさらに合成処理が行われ、画像１０１５がＲＡＭに生成される。このとき、背景模様画像が白抜きされるように合成が行われ、地紋画像である、画像１０１５が生成される。
【００３７】
地紋画像１０１５が、図８に示されている地紋印字の詳細設定において指定された色へ変換された後、原稿画像１０１６と合成され、地紋付き画像である、画像１０１７がＲＡＭに生成される。
【００３８】
＜地紋画像の印刷処理の説明＞
図４は、画像形成装置おける通常のコピー画面を示すユーザインタフェースを示している。図４に示されているユーザインタフェースは、図３の操作部３１２に表示される。図４において、画面４０１は、ユーザインタフェースの画面である。また、図４において、コピータブ４０２は、コピーを選択するためのタブである。また、図４において、送信／ファックスタブ４０３は、送信やファックスの機能を選択するためのタブである。
【００３９】
本実施形態では、以下で、コピータブ４０２の押下が受け付けられた場合のみの説明を行い、他のタブについての説明は重要ではないため省略する。
【００４０】
図４において、状態表示ウィンドウ４０４は、コピーの設定を表示するものである。また、図４において、応用モードボタン４０５は、コピーに際してより詳細な設定を行うためのボタンである。地紋印刷および地紋濃度調整は、この応用モードボタン４０５を押下して設定が行われる。ボタン４０６は、印刷をおこなう用紙を選択するためのボタンである。
【００４１】
図５は、図４の応用モードボタン４０５を押下した場合に、図３の操作部３１２に表示される応用モード設定画面を示すユーザインタフェースの画面である。
【００４２】
図５の応用モード設定画面には、製本印刷を行うための設定ボタン５０１、枠消し印刷を行うための設定ボタン５０２、および地紋印刷を行うための設定ボタン５０３が配置されている。地紋印刷を行うための設定ボタン５０３が押下された場合の動作については後述する。
【００４３】
図１１は、図４の用紙選択ボタン４０６を押下した場合に、操作部３１２に表示される用紙選択画面を示すユーザインタフェースである。図１１の用紙選択画面には、図３に図示されていない手差しトレイにセットした用紙を印刷時に使用するためのボタン１７０１が配置されている。また、図１１の用紙選択画面には、図３の用紙カセット１（３０３）にセットされた用紙を印刷時に選択するためのボタン１７０２が配置されている。また、図１１の用紙選択画面には、図３における用紙カセット２（３０４）にセットされた用紙を印刷時に選択するためのボタン１７０３が配置されている。また、図１１の用紙選択画面には、図３の用紙カセット３（３０５）にセットされた用紙を印刷時に選択するためのボタン１７０４が配置される。
【００４４】
次に、図９で示されるコピー動作のフローチャート、図４〜８、１１、１３で示される操作部３１２の表示画面を用いて、地紋画像印刷の設定手順および処理、さらに本実施形態の特徴的な処理である、設定内容に応じた警告表示の説明を行う。
【００４５】
以下で説明する図９に示されているフローチャートの処理は、図３の画像形成装置に搭載されているＣＰＵによって実行される。
【００４６】
まず、図９のステップＳ９０１で、コピー動作設定として地紋印字を選択するために、図３の操作部３１２に表示された図４の画面４０１における応用モード設定ボタン４０５の押下が受付けられる。
【００４７】
そして、図５の応用モード設定画面が表示され、図５のボタン５０３の押下が受付けられると、地紋印字が選択される。
【００４８】
具体的には、ボタン５０３の押下が受付けられると、図６に示されているような、表面、裏面それぞれの地紋の設定を選択する画面が表示される。
【００４９】
図６の画面において、表面の地紋の設定を行うためにはボタン６０１を押下し、裏面の地紋の設定を行うためにはボタン６０２を押下する。ここでは、一例として、最初に、表面の地紋の設定を行うものとし、ボタン６０１の押下が受付けられたものとする。
【００５０】
ボタン６０１の押下が受付けられると、図７に示されているように、印字する地紋の種類を選択する画面が表示される。
【００５１】
図７の画面で、スタンプを印字するためにはボタン７０１を押下し、日付を印字するためにはボタン７０２を押下し、部数を印字するためにはボタン７０３を押下する。
【００５２】
図７には、一例として、ボタン７０１の押下が受付けられた場合の画面が示されている。
【００５３】
ボタン７０１の押下が受付けられた場合、印字されるスタンプの種類を選択するための一覧７０４が表示される。
【００５４】
一覧７０４に表示されている、「コピー禁止（７０５）」、「無効（７０６）」、「ＣＯＰＹ」、「社外秘」、「ＣＯＮＦＩＤＥＮＴＩＡＬ」のうちから、一つの設定が、スタンプの種類として、選択される。
【００５５】
ここでは、図７には、一例として、「コピー禁止（７０５）」が選択された場合の画面が示されている。
【００５６】
図７の画面において、設定取消ボタン７０６の押下が受け付けられた場合は、地紋印字の選択は解除され、図５の応用モード選択画面に戻る。
【００５７】
また、図７の画面において、「次へ」のボタン７０７の押下が受け付けられた場合は、図８の詳細設定画面が表示され、より詳細な設定を行うことができる。
【００５８】
図８において、ボタン８０１は、背景模様を選択するためのボタンである。
【００５９】
ボタン８０１の押下が受け付けられると、図７の画面で選択された地紋パターン（例えば、「コピー禁止（７０５）」）の他に、同時に印字する模様を選択することができる。
【００６０】
例えば、「扇」や「星」、「桜」などの模様を、印字する模様として設定することができる。
【００６１】
また、図８のボタン８０２〜８０４の押下の受け付けにより、地紋パターンの印字サイズが設定される。
【００６２】
図８の画面では、一例として、「中（５４ポイント）」が選択されている。
【００６３】
また、図８のボタン８０５〜８０７の押下により、印字色が、マゼンタ、シアン、黒のうちから一つ（例えば、「黒」）が選択される。
【００６４】
また、図８のボタン８０８は、地紋パターンの印字向きを出力用紙に対して横向きに印字するためのボタンである。
【００６５】
また、図８のボタン８０９は、用紙に印字した地紋パターンを複写時に白抜きで浮き上がらせるためのボタンである。
【００６６】
また、図８のボタン８１０は、文字（地紋パターン）と背景のコントラストを調整するためのボタンである。ボタン８１０の押下により、大ドット部と小ドット部の濃度調整を行うための画面への遷移が行われる。
【００６７】
また、図８のボタン８１２は、一つ前の画面に戻るためのボタンである。すなわち、ボタン８１２の押下が受け付けられると、図７の地紋の種類を選択する画面に戻る。
【００６８】
表面に関するすべての設定が終了した場合に、ＯＫボタン８１３の押下が受け付けられると、図６の画面に戻る。
【００６９】
ここでは、一例として、図６の画面において、裏面の地紋印字の設定が、表面と同様に行われたものとして、ボタン６０３の押下が受け付けられるとする。このように、ボタン６０３の押下が受け付けられることにより、地紋印字の設定が終了する。
【００７０】
以下で、図１３に示されている警告画面について説明する。
【００７１】
図１３に示されている警告画面は、表面と裏面の地紋印字の設定に応じて、表示される。
【００７２】
すなわち、表面の地紋印字の設定、および裏面の地紋印字の設定の両方で、図８の画面のボタン８０９の押下により「文字を白抜きにする・・・文字部が小ドット部となる」の設定がなされていた場合には、以下のような処理が実行される。すなわち、以降の処理が一旦、停止となり、ＣＰＵは、図１３の警告画面を表示するように制御する。これは、図１６（図１８）で示されるような不具合が発生する可能性があるため、図１３で示すような警告画面を表示することによって、ユーザに設定変更を促すためである。図１３の警告画面により、以下で説明するように、不具合の発生を未然に防ぐことができる。
【００７３】
図１３の警告画面において、継続ボタン２００１の押下が受け付けられると、不具合発生の可能性をユーザが容認したものとし、表面と裏面の両面ともに、地紋印字の設定が、「文字を白抜きにする」という設定のまま印刷がなされる。
【００７４】
一方、図１３の警告画面において、戻るボタン２００２の押下が受け付けられると、図６で示される画面に戻って、表面もしくは裏面の地紋の設定を再度行うことができる。再設定の際には、表面もしくは裏面、少なくともいずれかの設定から「文字を白抜きにする」を解除をユーザが指示すれば、少なくともいずれかの設定を解除することができる。その結果、図１６（図１８）で示されるような不具合の発生を防ぐことができる。
【００７５】
以上で説明したような図９のステップＳ９０１における地紋印字設定が終了すると、次に、ステップＳ９０２で、出力用紙選択が行われる。出力用紙選択の処理では、図４の画面の用紙選択ボタン４０６の押下が受け付けられると、図１１の用紙選択画面が表示され、上述したように、ボタン１７０１〜１７０４の押下により、印字を行うための用紙が選択される。ここでは、一例として、ボタン１７０２の押下が受け付けられることにより、用紙カセット１の用紙が、印字を行うための用紙として、選択されたものとする。
【００７６】
次に、ステップＳ９０３で、図３の画像形成装置の操作部３１２のスタートキーの押下が受け付けられると、原稿の読み取りが開始される。
【００７７】
次に、ステップＳ９０４で、あらかじめ図３の原稿フィーダ３０１のトレイ３０２にセットされていた原稿が、１枚フィードされ、原稿のスキャン処理が行われ、画像データへと変換される。
【００７８】
次に、ステップＳ９０５で、ステップＳ９０２において選択された出力用紙があるかどうかが判定される。
【００７９】
ステップＳ９０５で、選択された出力用紙があると判定された場合は、ステップＳ９０６へ処理が進む。
【００８０】
一方、ステップＳ９０５で、選択された出力用紙がないと判定された場合は、ステップＳ９０９へ処理が進む。
【００８１】
ステップＳ９０９で、図３の操作部３１２に、ステップＳ９０２において選択された出力用紙が無いことを表示し、用紙を補給するか別の用紙カセットの出力用紙を選択するかを図３の画像形成装置のユーザに促す。
【００８２】
次に、ステップＳ９１０で、ステップＳ９０２において選択された出力用紙が補給されたか、または別の用紙カセットの出力用紙が選択されたかが判定される。
【００８３】
ステップＳ９１０で、ステップＳ９０２において選択された出力用紙が補給されたか、または別の用紙カセットの出力用紙が選択されたと判定された場合には、ステップＳ９０６へ処理が進む。
【００８４】
一方、ステップＳ９１０で、ステップＳ９０２において選択された出力用紙が補給されたか、または別の用紙カセットの出力用紙が選択されていないと判定された場合には、ステップＳ９１０の処理を繰り返す。
【００８５】
ステップＳ９０６で、ステップＳ９０４で実行されたスキャン処理により得られた画像データに対して、ステップＳ９０１で設定された設定に従って画像データが変換される。本実施形態では、ステップＳ９０１において地紋印字の設定が行われたため、画像データに対し地紋画像の合成処理が行われる。地紋画像の合成処理の詳細については、図１０を用いて説明した通りに行われる。
【００８６】
次に、ステップＳ９０７で、ステップＳ９０６において生成された画像データが用紙へ印字される、印刷処理が実行される。
【００８７】
次に、ステップＳ９０８で、原稿フィーダ３０１のトレイ３０２に、次の原稿がないかが判定される。
【００８８】
ステップＳ９０８で、次の原稿があると判定された場合には、ステップＳ９０４に処理が戻る。
【００８９】
ステップＳ９０８で、次の原稿がないと判定された場合には、処理が終了する。
本実施例では、図１３の警告画面において、継続ボタン２００１の押下が受け付けられると、不具合発生の可能性をユーザが容認したものとし、表面と裏面の両面ともに、地紋印字の設定が、「文字を白抜きにする」という設定のまま印刷がなされる。しかし、容認するユーザはまれであろう。従って、上記警告画面を表示することにより、表面と裏面の両面ともに地紋印字の設定が「文字を白抜きにする」という設定のまま印刷がなされることを実質的に禁止しているといえる。
【００９０】
＜実施形態２＞
実施形態１では、表面の地紋印字の設定、および裏面の地紋印字の設定の両方で「文字を白抜きにする」が設定されていたとき、図１３の警告画面に、警告表示が行われる。そして、警告表示により、ユーザは、適切に地紋印字の設定の変更を行うことができる。
【００９１】
ここで、ユーザ利便性向上のため、一方の印字面の地紋印字の設定の際に、「文字を白抜きにする」という設定を行ったときに、他方の印字面ので「文字を白抜きにする」という設定をさせない。
【００９２】
そこで、実施形態２では、一方の印字面の地紋印字の設定の際に、「文字を白抜きにする」という設定を行うときに、他方の印字面の当該地紋印字の設定の内容に応じて、一方の印字面の地紋印字の設定を禁止する。
【００９３】
実施形態１について、図９を用いて、コピー動作を説明し、図４〜８、１１、１３を用いて、操作部３１２の表示画面を説明した。
【００９４】
本実施形態では、図１３で示される警告表示画面が表示されず、代わりに、図８および図１２で示される地紋印字の詳細設定の画面が表示される。
【００９５】
これにより、一方の印字面の地紋印字の設定の内容に応じて、他方の印字面の地紋印字の設定を行う際に、「文字を白抜きにする」設定が行えるかどうかを画面の表示によって示される。
【００９６】
図８と図１２で示される画面の違いは、図８にはボタン８０９で示される「文字を白抜きにする」設定を行うボタンがあるが、図１２には該当するボタンがないことである。
【００９７】
すなわち、表面の地紋印字の設定で「文字を白抜きにする」という設定を行った場合に、裏面の地紋印字の設定でも同様の手順で地紋印字の詳細設定を行おうとすると以下で説明するような図１２の設定画面が表示される。すなわち、図１２の画面では、「文字を白抜きにする」設定を行う項目がなく、裏面の地紋印字の設定では、「文字を白抜きにする」という設定を行うことができないようにする。言い換えると、用紙の片面に文字部が小ドット部となる地紋画像が印刷される設定がされている場合に、前記用紙のもう一方の面に、文字部が小ドット部となる地紋画像を印刷することを禁止しているのである。
【００９８】
一方、表面の地紋印字の設定で「文字を白抜きにする」という設定が行われていない場合には、図８で示される画面が表示され、裏面の地紋印字の設定でも「文字を白抜きにする」という設定を行うことができる。言い換えると、用紙の片面に文字部が小ドット部となる地紋画像が印刷される設定がされる設定がされていない場合に、前記用紙のもう一方の面に、文字部が小ドット部となる地紋画像を印刷することを許可しているのである。
【００９９】
また、表面よりも先に裏面の地紋印字の設定において「文字を白抜きにする」という設定を行った場合には、表面の地紋印字の設定でも同様の手順で地紋印字の詳細設定を行おうとすると、同様に図１２の設定画面が表示される。すなわち、図１２の画面では、「文字を白抜きにする」設定を行う項目がなく、表面の地紋印字の設定では、「文字を白抜きにする」という設定を行うことができない。言い換えると、用紙の片面に文字部が小ドット部となる地紋画像が印刷される設定がされている場合に、前記用紙のもう一方の面に、文字部が小ドット部となる地紋画像を印刷することを禁止しているのである。
【０１００】
一方、表面よりも先になされた裏面の地紋印字の設定で「文字を白抜きにする」という設定が行われなかった場合には、図８で示される画面が表示され、表面の地紋印字の設定でも「文字を白抜きにする」という設定を行うことができる。言い換えると、用紙の片面に文字部が小ドット部となる地紋画像が印刷される設定がされる設定がされていない場合に、前記用紙のもう一方の面に、文字部が小ドット部となる地紋画像を印刷することを許可しているのである。
【０１０１】
このようにして、表面の地紋印字の設定と裏面の地紋印字の設定の両方で、「文字を白抜きにする」という設定がなされることを防ぎ、図１６で示されるような不具合を防ぐことができる。
【０１０２】
＜実施形態３＞
実施形態１では、表面の地紋印字の設定、および裏面の地紋印字の設定の両方で「文字を白抜きにする」が設定されていたとき、警告表示が行われる。また、実施形態２では、一方の印字面の地紋印字の設定に「文字を白抜きにする」が設定されていた場合には、他方の印字面の地紋印字の設定に「文字を白抜きにする」と設定するのが禁止される。
【０１０３】
ここで、ユーザ利便性向上のためには、一方の印字面の地紋印字の設定の際に、「文字を白抜きにする」という設定を行うときに、他方の印字面の地紋印字の設定の内容に応じて、自動的に設定を切り換えても良い。
【０１０４】
そこで、実施形態３では、一方の印字面の地紋印字の設定の際に、「文字を白抜きにする」という設定を行うときに、他方の印字面の当該地紋印字の設定の内容に応じて、他方の印字面の地紋印字の設定を自動的に設定する。
【０１０５】
実施形態１について、図９を用いて、コピー動作を説明し、図４〜８、１１、１３を用いて、操作部３１２の表示画面を説明した。
【０１０６】
本実施形態では、図１３で示される警告表示画面が表示されず、代わりに、一方の印字面の地紋印字の設定に応じて、他方の印字面の地紋印字の設定が自動的に設定される。
【０１０７】
すなわち、本実施形態では、表面の地紋印字の設定で「文字を白抜きにする」という設定が行われた後、裏面の地紋印字の詳細設定で「文字を白抜きにする」という設定が行われると、以下のような処理が行なわれる。すなわち、自動的に表面の地紋印字の設定では、「文字を白抜きにする」という設定が解除される。このようにして、前記判定手段で用紙の片面に文字部が小ドット部となる地紋画像が印刷されることが設定されている場合に、前記用紙のもう一方の面に、文字部が小ドット部となる地紋画像を印刷することを禁止するのである。
【０１０８】
また、本実施形態では、裏面の地紋印字の設定で「文字を白抜きにする」という設定が行われた後、表面の地紋印字の設定で「文字を白抜きにする」という設定が行われると、以下のような処理が行なわれる。すなわち、自動的に裏面の地紋印字の設定では、「文字を白抜きにする」という設定が解除される。このようにして、前記判定手段で用紙の片面に文字部が小ドット部となる地紋画像が印刷されることが設定されている場合に、前記用紙のもう一方の面に、文字部が小ドット部となる地紋画像を印刷することを禁止するのである。
【０１０９】
すなわち、本実施形態では、地紋印字の設定では、「文字を白抜きにする」という設定が後から行われた面の設定が優先される。そして、表面と裏面の両方の地紋印字の設定で、「文字を白抜きにする」という設定が行われた場合には、先に地紋印字の設定を行われた面の「文字を白抜きにする」という設定が解除される。
【０１１０】
なお、本実施形態においても、用紙の片面に文字部が小ドット部となる地紋画像が印刷される設定がなされていない場合に、前記用紙のもう一方の面に、文字部が小ドット部となる地紋画像を印刷するための設定がされることを許可するのは言うまでもない。
【０１１１】
図２０では、原稿の表面２００１では、文字部２００５が大ドット部であり、原稿の裏面２００２では、文字部２００６、２００７が小ドット部である。このような場合、原稿の表面２００１における文字部２００５は複写物上では２００８のようになり、顕像化している。また、原稿の裏面２００２における非文字部が複写物上では濃く残ることにより、この濃く残った部分が裏写りしている。よって、複写物上の表面においては、この裏写りの影響により、文字部２００８は、周囲と区別が付きにくくなっている。
【０１１２】
一方、複写物上の裏面においては、文字部が周囲と区別が付きやすくなっている。これは、表面における大ドット部が２００８のように小さく、裏写りの影響が少ないからである。
【０１１３】
一般的なユーザにおいては、このような状況は許容できる。確かに表面においては裏写りの影響で文字部が周囲と区別がつきづらいが、裏面においてはきちんと文字部が周知と区別がついているからである。そして、このような一般的なユーザに合わせて、実施形態１〜実施形態３では、この図２０のような地紋印刷の設定が許可されることになる。許可されるどころか、図１８のような設定がされようとした場合に、その設定を禁止し、この図２０のような地紋印刷の設定がされることになる。
【０１１４】
しかし、非常に厳しいユーザであれば、表現において文字部が周知と区別がつきづらいという事情をもって、こうした状況を許容しないであろう。
【０１１５】
そうした厳しいユーザにあわせて以下のような構成とすることも可能である。即ち、用紙の両面に地紋画像を印刷するための設定がなされたとＣＰＵが判定した場合には、自動的に地紋画像の文字部を大ドット部とする。そして、そのような地紋画像を印刷するようにＣＰＵが制御する。
【０１１６】
あるいは、用紙の両面に地紋画像を印刷するための設定がなされたとＣＰＵが判定した場合には、少なくとも一方の面で白抜き文字の設定がされているかＣＰＵが判断する。そして、少なくとも一方の面で白抜き文字の設定がされている場合には、その白抜き文字の設定（又は地紋画像を印刷するための設定）をＣＰＵが解除する。解除した上で、ユーザに再度、地紋画像を印刷するための設定（や、文字部を大ドット部とする設定）を指示させるのである。
【０１１７】
＜実施形態４＞
実施形態１では、表面の地紋印字の設定、および裏面の地紋印字の設定の両方で「文字を白抜きにする」が設定されていたとき、警告表示が行われる。また、実施形態２では、一方の印字面の地紋印字の設定に「文字を白抜きにする」が設定されていた場合には、他方の印字面の地紋印字の設定に「文字を白抜きにする」と設定するのが禁止される。また、実施形態３では、一方の印字面の地紋印字の設定の際に、「文字を白抜きにする」という設定を行うと、他方の印字面の地紋印字の設定を自動的に設定する。
【０１１８】
しかしながら、裏写りは、地紋の印字のみによって生じるわけではなく、印字する画像データそれ自体が濃度が濃い部分が多い場合にも生じてしまう。通常、原本で濃度が一定以上の濃さを持つ場合には、複写物上でもその濃度が維持されることになり、複写物上での裏写りに繋がってしまうからである。
【０１１９】
したがって、ユーザ利便性向上のためには、地紋の設定にかかわらず、一方の印字面において、裏写りが起きるような所定の濃度よりも濃い濃度の印字が所定の面積より広い部分になされる場合には、他方の印字面に対する地紋の設定をかえる必要がある。複写物上における裏写りにより、文字部が周囲と区別できなくなってしまうことを防ぐためである。
【０１２０】
そこで、実施形態４では、一方の印字面の画像データに基づいて、他方の印字面に対する地紋印字の設定を自動的に解除する。
【０１２１】
本実施形態において、図９で示されるコピー動作のためのフローチャートの、ステップＳ９０６において、表面を印字する画像の濃度データの計数、およびその計数結果に基づいて裏面印字の際の地紋の設定が自動的に変更される。
【０１２２】
図２１は、図９のステップＳ９０６での、本実施形態における特徴的な処理を説明する図である。なお、図２１に示されているフローチャートの処理は、図３の画像形成装置に搭載されているＣＰＵにより実行される。
【０１２３】
まず、図２１のステップＳ２６０１で、画像形成装置が印字している面が、用紙の表面か裏面かが判定される。ここで、「表面」とは、用紙に最初に印字する面である。また、「裏面」とは、すでに一方の面が印字済みの用紙のまだ印字していない面である。
【０１２４】
ステップＳ２６０１で、印字面が「表面」と判定された場合には、ステップＳ２６０５に処理が進む。
【０１２５】
一方、ステップＳ２６０１で、印字面が「裏面」と判定された場合には、ステップＳ２６０２に処理が進む。
【０１２６】
ステップＳ２６０２で、印字面が「裏面」であるため、すでに印字済みの、対応する「表面」についての濃い画素の計数値がある所定の値以上であるか否かが判定される。濃い画素の計数値については、ステップＳ２６０６の説明において後述する。
【０１２７】
ステップＳ２６０２で、計数値が所定の値以上であると判定された場合には、ステップＳ２６０３に処理が進む。この場合、「表面」は、所定の濃度以上の濃い印字がなされた部分が用紙上の所定の面積よりも広い、すなわち裏写りを起こす面積が広く、その影響が大きい。
【０１２８】
ステップＳ２６０２で、計数値が所定の値より小さいと判定された場合には、ステップＳ２６０５へ処理が進む。
【０１２９】
ステップＳ２６０３で、地紋の設定がされているかどうかが判定される。
【０１３０】
ステップＳ２６０３で、地紋の設定がされていると判定された場合には、ステップＳ２６０４へ処理が進む。
【０１３１】
一方、ステップＳ２６０３で、地紋の設定がされていないと判定された場合には、ステップ２６０５へ進む。
【０１３２】
ステップ２６０４で、地紋印字の設定が自動的に解除される。これによって、表面が裏写りする濃い印字がなされている部分が広い場合には、以下のような処理が実行される。すなわち、裏面に対する「文字を白抜きにする」という地紋印字の設定が自動的に解除され、複写物の裏写りによって地紋の効果が得られにくくなるという不具合を防ぐことができる。なお、地紋の設定を解除する前に、ユーザに対して通知を行っても良い。この場合、「地紋の効果が得られない、あるいは、地紋の効果が薄い。即ち、複写された際に地紋の中の大ドットの領域が浮き上がる効果が少ない」ことを通知しても良い。また、このような通知が、図３の表示部３１２に表示されても良い。
【０１３３】
ステップＳ２６０５で、図１０を用いて説明したように、地紋付き画像が生成される。ステップS２６０５については、実施形態１における処理と違いはないため説明を割愛する。
【０１３４】
次に、ステップＳ２６０６で、印字する画像データの中で、所定の値よりも濃い濃度の画素が、印字面中に何画素あるのかが計数される。これによって、所定の濃度以上の濃い印字がなされた部分が用紙上のどれほどの画素数なのか、すなわち裏写りを起こす面積がどれほどなのかが計数される。ステップＳ２６０５において地紋は付加済みであるため、地紋付加済みの画像に対して、所定の濃度以上の濃さの画素数が計数されることになる。計数値は画像形成装置のＲＡＭに保持され、次の面の印字の際に参照されることになる。
【０１３５】
以上で図２１に示されている処理は終了する。  
上記の処理により、表面の印刷画像データの所定の面積より広い部分に、所定の濃度よりも濃い濃度の印字がなされた場合、裏面の地紋の設定を解除することができ、裏写りによって地紋の文字が見えにくくなる不具合を防ぐことができる。
【０１３６】
上記の説明では、表面に濃い印字がなされている場合に、不具合が生じる裏面の地紋印字の設定が自動的に解除される例について説明した。しかし、これは、あくまでも一例であり、裏面に濃い印字がなされている場合に、裏写りによる不具合が生じる表面の地紋印字の設定が自動的に解除されるように、本実施形態を用いることもできる。
【０１３７】
上記の実施形態４では、一例として、表面に濃い印字がなされている場合に、裏写りによる不具合が生じる裏面の地紋印字の設定が、自動的に解除される場合について、詳細に説明した。しかし、これは、あくまでも一例であって、実施形態４において、実施形態１に示されているように、ユーザに警告し、ユーザからの裏面の地紋印字の設定の変更を受付けても良い。また、同様に、実施形態２に示されているように、表面に濃い印字がなされている場合に、裏写りによる不具合の生じる裏面の地紋印字の設定をユーザインタフェース上で、禁止しても良い。
【０１３８】
＜その他の実施形態＞
実施形態１〜４では、用紙の両面に地紋画像がある場合に、用紙の少なくともいずれか一方の面に、裏写りによる不具合が生じる地紋印字の設定がされることを防ぐ場合について詳細に説明した。しかし、これは、あくまでも一例であって、用紙の両面に地紋画像がある場合に、用紙の両方の面に、裏写りによる不具合が生じる地紋印字の設定がなされることを防いでも良い。
【０１３９】
また本発明の目的は、上記実施形態で示したフローチャートの手順を実現するプログラムコードを記憶した記憶媒体から、コンピュータが、そのプログラムコードを読出し実行することによっても達成される。この場合、記憶媒体から読み出されたプログラムコード自体が上述した実施形態の機能を実現することになる。そのため、このプログラムコードやプログラムコードを記憶した記憶媒体も本発明を構成することができる。
【０１４０】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【図面の簡単な説明】
【０１４１】
【図１】地紋画像におけるドットの状態を示す図である。
【図２】複写時に地紋画像が顕像化する状態を示す図である。
【図３】画像形成装置の外観を示す図である。
【図４】画像形成装置のユーザインタフェースの画面を示す図である。
【図５】画像形成装置のユーザインタフェースの画面を示す図である。
【図６】画像形成装置のユーザインタフェースの画面を示す図である。
【図７】画像形成装置のユーザインタフェースの画面を示す図である。
【図８】画像形成装置のユーザインタフェースの画面を示す図である。
【図９】コピー動作の処理を示すフローチャートである。
【図１０】地紋付き画像の生成処理を示す図である。
【図１１】画像形成装置のユーザインタフェースの画面を示す図である。
【図１２】画像形成装置のユーザインタフェースの画面を示す図である。
【図１３】画像形成装置のユーザインタフェースの画面を示す図である。
【図１４】複写時に地紋画像の文字部が白抜きになることを示す図である。
【図１５】両面複写時に地紋画像の文字部が顕像の場合を示す図である。
【図１６】両面複写時に地紋画像の文字部が白抜きの場合の裏写りによる不具合を示す図である。
【図１７】地紋の文字部、非文字部を示す図である。
【図１８】両面複写時に地紋画像の文字部の設定が、表面は白抜き、裏面も白抜きの場合を示す図である。
【図１９】両面複写時に地紋画像の文字部の設定が、表面は潜像、裏面も潜像の場合を示す図である。
【図２０】両面複写時に地紋画像の文字部の設定が、表面は潜像、裏面は白抜きの場合を示す図である。
【図２１】実施形態４における地紋の設定の変更の処理を示すフローチャートである。
【符号の説明】
【０１４２】
３０１  原稿フィーダ
３０２  トレイ
３０３  用紙カセット１
３０４  用紙カセット２
３０５  用紙カセット３
３０６  排紙トレイ
３１２  操作部
３１３  スキャナ部
３１４  プリンタ部
【図１】
0004977072.tif 000002
【図２】
0004977072.tif 000003
【図３】
0004977072.tif 000004
【図４】
0004977072.tif 000005
【図５】
0004977072.tif 000006
【図６】
0004977072.tif 000007
【図７】
0004977072.tif 000008
【図８】
0004977072.tif 000009
【図９】
0004977072.tif 000010
【図１０】
0004977072.tif 000011
【図１１】
0004977072.tif 000012
【図１２】
0004977072.tif 000013
【図１３】
0004977072.tif 000014
【図１４】
0004977072.tif 000015
【図１５】
0004977072.tif 000016
【図１６】
0004977072.tif 000017
【図１７】
0004977072.tif 000018
【図１８】
0004977072.tif 000019
【図１９】
0004977072.tif 000020
【図２０】
0004977072.tif 000021
【図２１】
0004977072.tif 000022